(57)【要約】【課題】本発明は、スクリーンゴルフシステムでゴルフボールが置かれた位置の周辺に衝撃センサーを備えて、ゴルフプレーヤーのスイング時にゴルフクラブが地面に打撃を加えた位置とその強度を感知し、これらをゴルフプレーヤーが確認できるように出力することによって、ゴルフプレーヤーが多様な球質を具現するのに必要な打撃状態情報を提供できる、打撃状態出力機能のスクリーンゴルフシステム及び方法に関する。【解決手段】本発明に係る打撃状態出力機能のスクリーンゴルフシステムは、ゴルフクラブによって打撃されたゴルフボールが飛び出してスクリーン上にぶつかることによって前記ゴルフボールの速度、飛行角度、飛行方向、軌跡などを提供するスクリーンゴルフシステムにおいて、前記ゴルフボールが置かれる地面に位置し、前記ゴルフクラブが前記ゴルフボール及び前記ゴルフボールの周辺の地面を打撃するとき、打撃位置を感知することによって打撃位置信号を出力する打撃位置感知部と、前記ゴルフクラブが前記ゴルフボールの周辺の地面を打撃するとき、打撃強度を感知することによって打撃強度信号を出力する打撃強度感知部と、前記打撃位置信号及び前記打撃強度信号を受信し、これら信号をゴルフプレーヤーが確認できるように前記ゴルフクラブの打撃位置及び打撃強度の打撃状態を表出する表出装置とを含む。本発明によると、スクリーンゴルフシステムでゴルフプレーヤーが多様な球質を具現するのに必要な打撃状態情報をゴルフプレーヤーに提供することができる。したがって、ゴルフプレーヤーは、打撃状態情報に基づいて自分のスイング動作を矯正し、それによるクラブの打撃位置を調整することができる。【選択図】図２
2013515555.tif 000002
【特許請求の範囲】
【請求項１】
ゴルフクラブによって打撃されたゴルフボールが飛び出してスクリーン上にぶつかることによって前記ゴルフボールの速度、飛行角度、飛行方向、軌跡などを提供するスクリーンゴルフシステムにおいて、
前記ゴルフボールが置かれる地面に位置し、前記ゴルフクラブが前記ゴルフボール及び前記ゴルフボールの周辺の地面を打撃するとき、地面打撃位置を感知することによって地面打撃位置信号を出力する打撃位置感知部と、
前記ゴルフクラブが前記ゴルフボールの周辺の地面を打撃するとき、地面打撃強度を感知することによって地面打撃強度信号を出力する打撃強度感知部と、
前記地面打撃位置信号及び前記地面打撃強度信号を受信し、ゴルフプレーヤーが確認できるように前記ゴルフクラブの地面打撃位置及び地面打撃強度の打撃状態を表出する表出装置と、を含む打撃状態出力機能のスクリーンゴルフシステム。
【請求項２】
前記打撃位置感知部は、前記ゴルフクラブが前記ゴルフボールの周辺の地面を打撃することによって発生する地面衝撃を吸収又は防止するための衝撃防止板を含むことを特徴とする、請求項１に記載の打撃状態出力機能のスクリーンゴルフシステム。
【請求項３】
前記打撃位置感知部は、前記ゴルフクラブの打撃による地面打撃位置を感知するために一定間隔で一つ以上配置されたセンサーを含むことを特徴とする、請求項１又は２に記載の打撃状態出力機能のスクリーンゴルフシステム。
【請求項４】
前記表出装置は、前記地面打撃位置を一つ以上表出できるように特定の表出器を一つ以上備えたことを特徴とする、請求項１に記載の打撃状態出力機能のスクリーンゴルフシステム。
【請求項５】
前記特定の表出器はＬＥＤやランプを含むことを特徴とする、請求項４に記載の打撃状態出力機能のスクリーンゴルフシステム。
【請求項６】
前記表出装置は、一つ以上の前記特定の表出器を通して前記地面打撃強度に応じて互いに異なる色相で表出することを特徴とする、請求項４に記載の打撃状態出力機能のスクリーンゴルフシステム。
【請求項７】
前記表出装置は、前記地面打撃強度をその程度に応じて段階別に表出できるように特定の表出器を一つ以上備えたことを特徴とする、請求項１に記載の打撃状態出力機能のスクリーンゴルフシステム。
【請求項８】
前記打撃位置感知部から出力された前記地面打撃位置信号及び前記打撃強度感知部から出力された前記地面打撃強度信号を増幅し、前記表出装置に伝達するアンプボードをさらに含むことを特徴とする、請求項１に記載の打撃状態出力機能のスクリーンゴルフシステム。
【請求項９】
前記打撃位置感知部から出力された前記地面打撃位置信号及び前記打撃強度感知部から出力された前記地面打撃強度信号を受信し、デジタルデータとして処理して格納したり、前記表出装置に伝達し、前記打撃位置及び前記打撃強度が表出されるように制御するメーンコンピューターをさらに含むことを特徴とする、請求項１に記載の打撃状態出力機能のスクリーンゴルフシステム。
【請求項１０】
前記メーンコンピューターは、前記ゴルフプレーヤーの情報を受けて、前記ゴルフプレーヤーが前記ゴルフクラブで打撃する時ごとに発生した前記地面打撃位置及び前記地面打撃強度を前記ゴルフプレーヤーの情報にマッチングさせて累積・格納した後、前記ゴルフプレーヤーの要請に従って前記ゴルフプレーヤーに対して累積・格納された打撃状態情報を提供することを特徴とする、請求項９に記載の打撃状態出力機能のスクリーンゴルフシステム。
【請求項１１】
ゴルフプレーヤーがゴルフクラブでゴルフボールを打撃するときに打撃位置感知部と打撃強度感知部を用いるスクリーンゴルフシステムの打撃状態出力方法において、
（ａ）前記ゴルフプレーヤーのスイング動作によって前記ゴルフクラブが前記ゴルフボール及び前記ゴルフボールの周辺の地面を打撃することによって、打撃力が前記打撃位置感知部及び前記打撃強度感知部に伝達される段階と、
（ｂ）前記打撃位置感知部及び前記打撃強度感知部が前記ゴルフクラブの地面打撃位置信号及び地面打撃強度信号を発生する段階と、
（ｃ）発生した前記地面打撃位置信号及び前記地面打撃強度信号が表出装置に伝達される段階と、
（ｄ）前記表出装置が前記ゴルフクラブの地面打撃位置及び地面打撃強度を表出する段階と、を含むスクリーンゴルフシステムの打撃状態出力方法。
【請求項１２】
前記（ｃ）段階で、メーンコンピューターは、発生した前記地面打撃位置信号及び前記地面打撃強度信号をデジタルデータとして処理して格納したり、前記表出装置に伝達することを特徴とする、請求項１１に記載のスクリーンゴルフシステムの打撃状態出力方法。
【請求項１３】
前記メーンコンピューターは、前記ゴルフプレーヤーの情報を受けて、発生した前記地面打撃位置及び前記地面打撃強度を前記ゴルフプレーヤーの情報にマッチングさせて累積・格納した後、前記ゴルフプレーヤーの要請に従って前記ゴルフプレーヤーに対して累積・格納された打撃状態情報を提供することを特徴とする、請求項１２に記載のスクリーンゴルフシステムの打撃状態出力方法。
【発明の詳細な説明】
【技術分野】
【０００１】
本発明は、スクリーンゴルフシステム及び打撃状態出力方法に関し、より詳細には、スクリーンゴルフシステムでゴルフボールが置かれた位置の周辺に衝撃センサーを備えて、ゴルフプレーヤーのスイング時にゴルフクラブが地面に打撃を加えた位置とその強度を感知し、これらをゴルフプレーヤーが確認できるように出力することによって、ゴルフプレーヤーが多様な球質を具現するのに必要な打撃状態情報を提供するものである。
【背景技術】
【０００２】
最近、室内で野外ゴルフ場の環境と類似した環境を提供し、ゴルフプレーヤーに実際に野外ゴルフ場でゴルフボールを打撃又はパッティングする場合と同じ効果を得ることのできるスクリーンゴルフシステムが常用化されている。
【０００３】
このようなスクリーンゴルフシステムは、室内に設置された大型スクリーンに実際の野外ゴルフ場と類似した周辺環境及び周囲環境に対する映像を投射してディスプレイする状態で、ゴルフプレーヤーがゴルフボールを打撃するためのゴルフクラブを選択した後、床に置かれたゴルフボールをスクリーンに向けて打撃又はパッティングする。
【０００４】
このようにゴルフプレーヤーがゴルフボールを打撃又はパッティングする場合、メーンコンピューターは、多数のセンサーを通してゴルフプレーヤーがスイングするクラブヘッド及び打撃によって飛び出したゴルフボールを感知することによってスイング結果を分析し、分析結果に基づいて打撃によって飛行するゴルフボールの速度、方向、脱出角及びクラブヘッドの軌跡などを表示するようになる。
【０００５】
ところが、上述した従来のスクリーンゴルフシステムは、ゴルフプレーヤーがゴルフクラブで床の指定された位置に置かれたゴルフボールを打撃するとき、ゴルフクラブが正確にゴルフボールを打撃せずに床を打撃するダフりなどが行われるが、この場合、その打撃位置や強度などを表示しないので、そのスイング動作を矯正することが難しい。
【０００６】
したがって、スクリーンゴルフシステムでゴルフプレーヤーがスイング動作によるダフり、トップショット、グッドショット、バックスピンショットなどの球質を具現するためには、ゴルフクラブの打撃による打撃位置や強度などの打撃状態情報をゴルフプレーヤーに提供できる技術が要求されている。
【発明の概要】
【発明が解決しようとする課題】
【０００７】
上述した問題を解決するための本発明の目的は、スクリーンゴルフシステムでゴルフボールが置かれた位置の周辺に衝撃センサーを備えて、ゴルフプレーヤーのスイング時にゴルフクラブが地面に打撃を加えた位置とその強度を感知し、これらをゴルフプレーヤーが確認できるように出力することによって、ゴルフプレーヤーが多様な球質を具現するのに必要な打撃状態情報を提供できる、打撃状態出力機能のスクリーンゴルフシステム及び方法を提供することにある。
【課題を解決するための手段】
【０００８】
上述した目的を達成するための本発明に係る打撃状態出力機能のスクリーンゴルフシステムは、ゴルフクラブによって打撃されたゴルフボールが飛び出してスクリーン上にぶつかることによって前記ゴルフボールの速度、飛行角度、飛行方向、軌跡などを提供するスクリーンゴルフシステムにおいて、前記ゴルフボールが置かれる地面に位置し、前記ゴルフクラブが前記ゴルフボール及び前記ゴルフボールの周辺の地面を打撃するとき、打撃位置を感知することによって打撃位置信号を出力する打撃位置感知部と、前記ゴルフクラブが前記ゴルフボールの周辺の地面を打撃するとき、打撃強度を感知することによって打撃強度信号を出力する打撃強度感知部と、前記打撃位置信号及び前記打撃強度信号を受信し、これら信号をゴルフプレーヤーが確認できるように前記ゴルフクラブの打撃位置及び打撃強度の打撃状態を表出する表出装置とを含む。
【０００９】
また、前記打撃位置感知部は、前記ゴルフクラブが前記ゴルフボールの周辺の地面を打撃することによって発生する衝撃を吸収又は防止するための衝撃防止板を含む。
【００１０】
また、前記打撃位置感知部は、前記ゴルフクラブの打撃による打撃位置を感知するために一定間隔で一つ以上配置されたセンサーを含む。
【００１１】
また、前記表出装置は、前記打撃位置を一つ以上表出できるように特定の表出器を一つ以上備えている。このとき、前記特定の表出器はＬＥＤやランプを含む。
【００１２】
また、前記表出装置は、一つ以上の前記特定の表出器を通して前記打撃強度に応じて互いに異なる色相で表出する。
【００１３】
また、前記表出装置は、前記打撃強度をその程度に応じて段階別に表出できるように特定の表出器を一つ以上備えている。
【００１４】
また、前記打撃位置感知部から出力された前記打撃位置信号及び前記打撃強度感知部から出力された前記打撃強度信号を増幅し、これら信号を前記表出装置に伝達するアンプボードをさらに含む。
【００１５】
また、前記打撃位置感知部から出力された前記打撃位置信号及び前記打撃強度感知部から出力された前記打撃強度信号を受信し、これら信号をデジタルデータとして処理して格納したり、前記表出装置に伝達し、前記打撃位置及び前記打撃強度が表出されるように制御するメーンコンピューターをさらに含む。
【００１６】
そして、前記メーンコンピューターは、前記ゴルフプレーヤーの情報を受けて、前記ゴルフプレーヤーが前記ゴルフクラブで打撃する時ごとに発生した前記打撃位置及び前記打撃強度を前記ゴルフプレーヤーの情報にマッチングさせて累積・格納した後、前記ゴルフプレーヤーの要請に従って前記ゴルフプレーヤーに対して累積・格納された打撃状態情報を提供する。
【００１７】
一方、上述した目的を達成するための本発明に係るスクリーンゴルフシステムの打撃状態出力方法は、ゴルフプレーヤーがゴルフクラブでゴルフボールを打撃するとき、打撃位置感知部と打撃強度感知部を用いるスクリーンゴルフシステムの打撃状態出力方法において、（ａ）前記ゴルフプレーヤーのスイング動作によって前記ゴルフクラブが前記ゴルフボール及び前記ゴルフボールの周辺の地面を打撃することによって、打撃力が前記打撃位置感知部及び前記打撃強度感知部に伝達される段階と、（ｂ）前記打撃位置感知部及び前記打撃強度感知部が前記ゴルフクラブの打撃位置信号及び打撃強度信号を発生する段階と、（ｃ）発生した前記打撃位置信号及び前記打撃強度信号が表出装置に伝達される段階と、（ｄ）前記表出装置が前記ゴルフクラブの打撃位置及び打撃強度を表出する段階とを含む。
【００１８】
また、前記（ｃ）段階で、メーンコンピューターは、発生した前記打撃位置信号及び前記打撃強度信号をデジタルデータとして処理して格納したり、これら信号を前記表出装置に伝達する。
【００１９】
そして、前記メーンコンピューターは、前記ゴルフプレーヤーの情報を受けて、発生した前記打撃位置及び前記打撃強度を前記ゴルフプレーヤーの情報にマッチングさせて累積・格納した後、前記ゴルフプレーヤーの要請に従って前記ゴルフプレーヤーに対して累積・格納された打撃状態情報を提供する。
【発明の効果】
【００２０】
本発明によると、スクリーンゴルフシステムでゴルフプレーヤーが多様な球質を具現するのに必要な打撃状態情報をゴルフプレーヤーに提供することができる。
【００２１】
したがって、ゴルフプレーヤーは、打撃状態情報に基づいて自分のスイング動作を矯正し、それによるクラブの打撃位置を調整することができる。
【図面の簡単な説明】
【００２２】
【図１】本発明の実施例に係る打撃状態出力機能のスクリーンゴルフシステムの全体構成を示した構成図である。
【図２】本発明の実施例に係る打撃状態感知装置、表出装置及びゴルフボール感知装置を示した図である。
【図３】本発明に係る衝撃防止板上の打撃位置感知部の構成を示した図である。
【図４】本発明の実施例に係るスクリーンゴルフシステムの打撃状態出力方法を説明するための動作フローチャートである。
【発明を実施するための形態】
【００２３】
本発明の目的と技術的構成、及びそれによる作用効果に関する詳細な事項は、本発明の明細書に添付された図面に基づく以下の詳細な説明によってより明確に理解されるだろう。以下では、添付の図面を参照して本発明に係る実施例を詳細に説明する。
【００２４】
図１は、本発明の実施例に係る打撃状態出力機能のスクリーンゴルフシステムの全体構成を示した構成図である。
【００２５】
図１を参照すると、本発明に係る打撃状態出力機能のスクリーンゴルフシステム１００は、打撃状態感知装置１１０、メーンコンピューター１２０、表出装置１３０、映像表示装置１４０及びスクリーン１５０を含む。
【００２６】
図１に示したように、本発明に係る打撃状態出力機能のスクリーンゴルフシステム１００は、前面部と側面壁ＳＷによって形成される所定大きさの空間を有するスクリーンゴルフブースＢの前面部にスクリーン１５０が装着され、メーンコンピューター１２０によって作動する映像表示装置１４０がゴルフ場及びその背景、ゴルフボールの移動映像などをスクリーン１５０に投映するように構成される。
【００２７】
したがって、ゴルフプレーヤーが打席ＳＰに入った後、ゴルフクラブ（図示せず）でスイング動作を行うと、ゴルフクラブによって打撃されたゴルフボールが飛び出してスクリーン１５０上にぶつかるようになり、メーンコンピューター１２０は、打席ＳＰの床に位置した各センサーの感知動作を通してゴルフボールの速度、飛行角度、飛行方向、軌跡などをスクリーン１５０上に投映する。
【００２８】
このとき、ゴルフプレーヤーが入る打席ＳＰの床には、ゴルフボールが置かれる地面にゴルフクラブの打撃位置及び打撃強度（衝撃力）などの打撃状態を感知する打撃状態感知装置１１０が備えられている。
【００２９】
打撃状態感知装置１１０は、図２に示したように、ゴルフクラブがゴルフボール及びゴルフボールの周辺の地面を打撃するとき、打撃位置を感知することによって打撃位置信号を出力する打撃位置感知部２１０と、ゴルフクラブがゴルフボールの周辺の地面を打撃するとき、打撃強度を感知することによって打撃強度信号を出力する打撃強度感知部２２０とを含む。図２は、本発明の実施例に係る打撃状態感知装置、表出装置及びゴルフボール感知装置を示した図である。
【００３０】
ここで、打撃位置感知部２１０は、ゴルフクラブがゴルフボールの周辺の地面を打撃することによって発生する衝撃を吸収又は防止するための衝撃防止板２３０を含むことができる。衝撃防止板２３０は、図３に示したように、その上に打撃位置感知部２１０を構成する各センサー２１２、２１４が一つ以上一定間隔で配置されており、一つ以上配置されたセンサー上にゴルフボールが置かれるように位置させる。図３は、本発明に係る衝撃防止板上の打撃位置感知部の構成を示した図である。
【００３１】
また、打撃位置感知部２１０は、ゴルフクラブの打撃による打撃位置を感知するために一定間隔で一つ以上配置されたセンサー２１２、２１４を含む。
【００３２】
表出装置１３０は、打撃位置信号及び打撃強度信号を受信し、これら信号をゴルフプレーヤーが確認できるようにゴルフクラブの打撃位置及び打撃強度などの打撃状態を表出する。このとき、表出装置１３０は、図１に示したように、ゴルフプレーヤーが打撃動作を行った後で直ちに確認できるように、ゴルフプレーヤーと向かい合う壁上に配置させることができる。
【００３３】
また、表出装置１３０は、打撃位置を一つ以上表出できるように特定の表出器を一つ以上備えている。このとき、特定の表出器は、ＬＥＤやランプなどである。
【００３４】
また、表出装置１３０は、一つ以上の特定の表出器を通して打撃強度に応じて互いに異なる色相で表出する。例えば、その打撃強度に応じて弱い衝撃力から強い衝撃力の順に白色、黄色、緑色、赤色、黒色などで表出することができる。
【００３５】
また、表出装置１３０は、打撃強度をその程度に応じて段階別に表出できるように特定の表出器を一つ以上備えている。すなわち、表出装置１３０は、一つ以上のＬＥＤやランプを備えており、打撃強度が低いときは１個が点灯され、打撃強度が高くなるにつれて、２個、３個、…、６個などが漸次点灯される方式で表出することができる。
【００３６】
また、打撃位置感知部２１０から出力された打撃位置信号及び打撃強度感知部２２０から出力された打撃強度信号を増幅し、これら信号を表出装置１３０に伝達するアンプボード２４０をさらに含む。
【００３７】
メーンコンピューター１２０は、打撃位置感知部２１０から出力された打撃位置信号及び打撃強度感知部２２０から出力された打撃強度信号を受信し、これら信号をデジタルデータとして処理して格納したり、表出装置１３０に伝達し、打撃位置及び打撃強度が表出されるように制御する。
【００３８】
そして、メーンコンピューター１２０は、ゴルフプレーヤーの情報を受けて、ゴルフプレーヤーがゴルフクラブで打撃する時ごとに発生した打撃位置及び打撃強度をゴルフプレーヤーの情報にマッチングさせて累積・格納した後、ゴルフプレーヤーの要請に従ってゴルフプレーヤーに対して累積・格納された打撃状態情報を提供する。
【００３９】
図４は、本発明の実施例に係るスクリーンゴルフシステムの打撃状態出力方法を説明するための動作フローチャートである。
【００４０】
図４を参照すると、本発明に係るスクリーンゴルフシステム１００では、ゴルフプレーヤーが打席ＳＰに入った後、ゴルフクラブを持ってスイング動作を行うと、ゴルフクラブがゴルフボール及びゴルフボールの周辺の地面を打撃し、その打撃力が打撃位置感知部２１０及び打撃強度感知部２２０に伝達される（Ｓ４１０）。
【００４１】
続いて、打撃位置感知部２１０及び打撃強度感知部２２０は、ゴルフクラブに対する打撃位置信号及び打撃強度信号を発生する（Ｓ４２０）。
【００４２】
続いて、打撃位置感知部２１０及び打撃強度感知部２２０から発生した打撃位置信号及び打撃強度信号が表出装置１３０に伝達される（Ｓ４３０）。
【００４３】
このとき、メーンコンピューター１２０は、打撃位置信号及び打撃強度信号をデジタルデータとして処理して格納したり、これら信号を表出装置１３０に伝達する。
【００４４】
また、メーンコンピューター１２０は、ゴルフプレーヤーの情報を受けて、打撃位置及び打撃強度をゴルフプレーヤーの情報にマッチングさせて累積・格納した後、ゴルフプレーヤーの要請に従ってゴルフプレーヤーに対して累積・格納された打撃状態情報を提供することができる。
【００４５】
続いて、表出装置１３０は、ゴルフクラブの打撃位置及び打撃強度を表出する（Ｓ４４０）。例えば、表出装置１３０は、ゴルフプレーヤーのクラブ打撃位置をＬＥＤやランプなどで点灯することによって表出し、その点灯色で打撃強度を表出する。
【００４６】
したがって、ゴルフプレーヤーは、ゴルフクラブでゴルフボールを打撃した後、ゴルフクラブの打撃位置とその打撃強度を自ら正確に確認することができ、これらを次の打撃動作に適用することによって打撃姿勢などを矯正することができる。
【００４７】
上述したように、本発明によると、スクリーンゴルフシステムでゴルフボールが置かれた位置の周辺に衝撃センサーを備えて、ゴルフプレーヤーのスイング時にゴルフクラブが地面に打撃を加えた位置とその強度を感知し、これらをゴルフプレーヤーが確認できるように出力することによって、ゴルフプレーヤーが多様な球質を具現するのに必要な打撃状態情報を提供できる、打撃状態出力機能のスクリーンゴルフシステム及び方法を実現することができる。
【００４８】
本発明の属する技術分野の当業者であれば、本発明がその技術的思想や必須特徴を変更せずとも他の具体的な形態で実施可能であるので、以上説明した各実施例は、全ての面で例示的なものであって、限定的なものでないと理解しなければならない。本発明の範囲は、前記詳細な説明よりは後述する特許請求の範囲によって示され、特許請求の範囲の意味及び範囲、そして、その等価概念から導出される全ての変更又は変形された形態は、本発明の範囲に含まれるものと解釈しなければならない。
【産業上の利用可能性】
【００４９】
本発明は、ゴルフプレーヤーのスイング時にゴルフクラブが地面に打撃を加えた位置とその強度を感知し、これらをゴルフプレーヤーが確認できるように出力することによって、ゴルフプレーヤーが多様な球質を具現するのに必要な打撃状態情報を提供できるスクリーンゴルフシステムに適用することができる。
【図１】
2013515555.tif 000003
【図２】
2013515555.tif 000004
【図３】
2013515555.tif 000005
【図４】
2013515555.tif 000006
【国際調査報告】
2013515555.tif 000007
2013515555.tif 000008
2013515555.tif 000009
2013515555.tif 000010